(57)【要約】【課題】  検査しようとする撮像情報を追加的な作業なく容易にかつ正確に提供することができる。【解決手段】  ディスプレイ装置２０と，ディスプレイ装置２０に画像信号を供給する画像信号供給部１３と，画像信号に基づいてディスプレイ装置２０に表示された画像を撮影する撮像装置２５と，撮像装置から撮影された画像の撮像情報が入力されて画質特性を評価する画質評価部３０と，を有する画質評価装置において，画像信号供給部１３から供給された画像信号に基づいて，画像表示周期を検出して撮像装置２５に伝達する同期信号検出部２４を含み，撮像装置２５は，伝達された画像表示周期に撮像周期を同期化させることを特徴とする。【選択図】    図２
2005192221.tif 000002
【特許請求の範囲】
【請求項１】
ディスプレイ装置と，前記ディスプレイ装置に画像信号を供給する画像信号供給部と，前記画像信号に基づいて前記ディスプレイ装置に表示された画像を撮影する撮像装置と，前記撮像装置から撮影された画像の撮像情報が入力されて画質特性を評価する画質評価部と，を有する画質評価装置において，
前記画像信号供給部から供給された画像信号に基づいて画像表示周期を検出して前記撮像装置に伝達する同期信号検出部を含み，
前記撮像装置は，伝達された前記画像表示周期に撮像周期を同期化させることを特徴とする画質評価装置。
【請求項２】
前記同期信号検出部に供給される画像信号は，水平同期信号及び垂直同期信号であることを特徴とする，請求項１に記載の画質評価装置。
【請求項３】
前記撮像装置と前記画質評価部との間に介在されて，前記撮像情報が入力されて前記ディスプレイ装置で出力された画質特性で前記撮像情報を補正する撮像情報補正部をさらに含むことを特徴とする，請求項１またはに記載の画質評価装置。
【請求項４】
前記画質評価部は，
前記撮像情報補正部で補正された撮像情報を評価しようとする画質特性に従ってピクセル単位に変換して既に設定された形態に整列させる情報変換部と，
前記情報変換部で出力された撮像情報を表示する評価情報表示部をさらに含むことを特徴とする，請求項３に記載の画質評価装置。
【請求項５】
前記画質評価部は，
ユーザーの操作に従って評価領域を選択することができる評価領域選択部をさらに含むことを特徴とする，請求項４に記載の画質評価装置。
【請求項６】
前記評価領域選択部は，
前記補正された撮像情報が表示される撮像情報表示部と，
前記撮像情報表示部でユーザーが選択した評価領域を検出する評価領域検出部をさらに含むことを特徴とする，請求項５に記載の画質評価装置。
【請求項７】
前記画質評価部は，
前記ディスプレイ装置で供給される画像信号に対する画質特性別基準情報が貯蔵された基準情報貯蔵部をさらに含み，
前記評価情報表示部は，前記情報変換部で変換された撮像情報及び前記該当基準情報を重畳させて表示することを特徴とする，請求項４〜６のいずれかに記載の画質評価装置。
【請求項８】
前記画像信号に基づいて，前記ディスプレイ装置に表示された画像を撮影する追加撮像装置と，前記撮像装置及び追加撮像装置の中でいずれか一つを選択して撮像信号が入力されるための撮像装置選択部をさらに含むことを特徴とする，請求項１〜７のいずれかに記載の画質評価装置。
【請求項９】
ディスプレイ装置と，前記ディスプレイ装置に画像信号を供給する画像信号供給部と，前記画像信号に基づいて前記ディスプレイ装置に表示された画像を撮影する撮像装置と，前記撮像装置から撮影された画像の撮像情報が入力されて画質特性を評価する画質評価部を有する画質評価装置の制御方法において，
前記画像信号供給部から画像表示周期を検出する段階と，
前記伝達された画像表示周期に前記撮像装置の撮像周期を同期化させる段階と，
を含むことを特徴とする，画質評価装置の制御方法。
【請求項１０】
前記同期信号検出部に供給される画像信号は，水平同期信号及び垂直同期信号であることを特徴とする，請求項９に記載の画質評価装置の制御方法。
【請求項１１】
前記画質評価部で要求する形態で，前記撮像情報を補正する段階をさらに含むことを特徴とする，請求項に１０記載の画質評価装置の制御方法。
【請求項１２】
前記補正された撮像情報を評価しようとする画質特性に従ってピクセル単位に変換する段階と，
前記変換された撮像情報を既に設定された形態に整列させて表示する段階をさらに含むことを特徴とする，請求項１１に記載の画質評価装置の制御方法。
【請求項１３】
前記整列表示段階前にユーザーの操作に従って評価領域を選択する段階をさらに含むことを特徴とする，請求項１２に記載の画質評価装置の制御方法。
【請求項１４】
前記評価領域選択段階は，
前記補正された撮像情報を表示する段階と，
前記表示された撮像情報に基づいてユーザーが評価領域を選択入力する段階と，
前記ユーザーが選択入力した評価領域を検出する段階と，を含むことを特徴とする，請求項１３に記載の画質評価装置の制御方法。
【請求項１５】
前記評価しようとする画質特性を輝度または色温度に設定する段階をさらに含み，
前記整列表示段階は，ピクセル単位に変換された前記補正された撮像情報の横方向座標を基準にして該当座標の輝度または色温度をグラフ形態に表示することを特徴とする，請求項１４に記載の画質評価装置の制御方法。
【請求項１６】
前記評価しようとする画質特性を最大輝度，最小輝度，または平均輝度に設定する段階をさらに含み，
前記整列表示段階は，ピクセル単位に変換された前記補正された撮像情報の中で最大輝度，最小輝度，または平均輝度を有する該当座標または該当値を表形態に表示することを特徴とする，請求項１４または１５のいずれかに記載の評価装置の制御方法。
【請求項１７】
前記評価しようとする画質特性を輝度統計に設定する段階をさらに含み，
前記整列表示段階は，輝度を基準にして該当輝度を有するピクセル単位に変換された撮像情報個数をグラフの形態に表示することを特徴とする請求項１４〜１６のいずれかに記載の画質評価装置の制御方法。
【請求項１８】
前記評価しようとする画質特性を色または色濃度に設定する段階をさらに含み，
前記整列表示段階は，ピクセル単位に変換された撮像情報とＲＧＢ情報及び色濃度の基準情報とグラフの形態に表示することを特徴とする，請求項１４〜１７のいずれかに記載の画質評価装置の制御方法。
【請求項１９】
前記ディスプレイ装置で供給される画像信号に対する画質特性別基準情報が貯蔵された基準情報貯蔵部を設ける段階と；
前記情報変換部で変換された撮像情報及び前記該当基準情報を重畳させて表示する段階をさらに含むことを特徴とする請求項１２〜１８のいずれかに記載の画質評価装置の制御方法。
【請求項２０】
前記画像信号に基づいて前記ディスプレイ装置に表示された画像信号を撮影する追加撮像装置を設ける段階と，
前記撮像装置及び前記追加撮像装置の中でいずれか一つを選択して撮像信号が入力される段階をさらに含むことを特徴とする請求項９〜１９のいずれかに記載の画質評価装置の制御方法。
【発明の詳細な説明】
【技術分野】
【０００１】
本発明は，画質評価装置及び画質評価装置の制御方法に係り，特に，ディスプレイ装置と，前記ディスプレイ装置に画像信号を供給する画像信号供給部と，前記画像信号に基づいて前記ディスプレイ装置に表示された画像を撮影する撮像装置と，前記撮像装置から撮影された画像の撮像情報が入力されて画質の特性を評価する画質評価部と，を有する画質評価装置及び画質評価装置の制御方法に関する。
【背景技術】
【０００２】
テレビジョンのブラウン管／ＬＣＤパネルまたはモニターは，外部から映像信号が入力されて適切な画像信号に処理して，画像が表れるようにする出力装置として，その製造段階または検査段階でその画質を検査または評価する。
【０００３】
特許文献１には，ＣＲＴ表示装置用画質調整機能を有する検査装置及びその方法に対する技術が示されており，これはテレビジョンの画質調整装置の検査のために検査作業者の目に依存した過去の方法が定量化されていなかった問題を解決するために創案されたものである。
【０００４】
また，特許文献１に開示されている検査装置は，図１に示すように，検査しようとするＣＲＴ表示装置１０と，ＣＲＴ表示装置１０に画像信号を提供する画像信号供給部１３と，ＣＲＴ表示装置１０に表示された画面を撮影するＣＣＤカメラ１５と，ＣＣＤカメラ１５から撮影された画面をイメージと処理してピクセル単位で制御部１８に出力するイメージ処理部１７と，各画面から所定のピクセル輝度値を算出し，各輝度値に基づいて画質調整機能の良否を判断する制御部１８と，判断結果を表示するディスプレイ部１９と，を含む。
【０００５】
従って，ＣＲＴ表示装置に表示された画面を撮影して取得した情報からピクセル単位に輝度値を算出して統計処理することによって，画質調整の良否を判断することができる。
【０００６】
【特許文献１】大韓民国特許公開第１９９９−４９４４７号
【発明の開示】
【発明が解決しようとする課題】
【０００７】
しかし，上記の技術は，ＣＲＴ表示装置に表示された画面の表示周期にＣＣＤカメラの撮影周期を同期化させていないので，連続した映像を所定の時間撮影する場合には円滑に撮影されない映像が発生する恐れもある。
【０００８】
また，前記技術は，所定の基準を満足するピクセル数を数えてその数が良否判断の基準を満足するか否かを判断してその結果を表示するに止まるので，さらに精密で様々な画質評価結果は提供されないという問題があった。
【０００９】
そこで，本発明はこのような問題に鑑みてなされたもので，その目的とするところは，定量化された画質評価結果を提供する画質評価装置及び画質評価装置の制御方法を提供することにある。
【００１０】
また，画面表示周期に撮像周期を同期化させることによって，検査しようとする撮像情報を，追加作業することなく，さらに容易にかつ正確に提供することができる画質評価装置及び画質評価装置の制御方法を提供することを目的とする。
【００１１】
さらに，精密で様々な画質評価結果をユーザーが容易に認識することができる形態に提供する画質評価装置及び画質評価装置の制御方法を提供することを目的とする。
【課題を解決するための手段】
【００１２】
上記課題を解決するために，本発明のある観点によれば，ディスプレイ装置と，ディスプレイ装置に画像信号を供給する画像信号供給部と，画像信号に基づいてディスプレイ装置に表示された画像を撮影する撮像装置と，撮像装置から撮影された画像の撮像情報が入力されて画質特性を評価する画質評価部と，を有する画質評価装置において，画像信号供給部から供給された画像信号に基づいて画像表示周期を検出して撮像装置に伝達する同期信号検出部を含み，撮像装置は，伝達された画像表示周期に撮像周期を同期化させることを特徴とする画質評価装置が提供される。
【００１３】
ここで，前記同期信号検出部に供給される画像信号は，水平同期信号及び垂直同期信号であってもよい。
【００１４】
また，撮像装置と画質評価部との間に介在されて，撮像情報が入力されてディスプレイ装置で出力された画質特性で撮像情報を補正する撮像情報補正部をさらに含んでもよい。
【００１５】
さらに，画質評価部は，撮像情報補正部で補正された撮像情報を評価しようとする画質特性に従ってピクセル単位に変換して既に設定された形態に整列させる情報変換部と，情報変換部で出力された撮像情報を表示する評価情報表示部をさらに含んでもよい。
【００１６】
また，画質評価部は，ユーザーの操作に従って評価領域を選択することができる評価領域選択部をさらに含んでもよい。
【００１７】
また，評価領域選択部は，補正された撮像情報が表示される撮像情報表示部と，撮像情報表示部でユーザーが選択した評価領域を検出する評価領域検出部をさらに含んでもよい。
【００１８】
さらに，画質評価部は，ディスプレイ装置で供給される画像信号に対する画質特性別基準情報が貯蔵された基準情報貯蔵部をさらに含み，評価情報表示部は，情報変換部で変換された撮像情報及び前記該当基準情報を重畳させて表示してもよい。
【００１９】
さらに，画像信号に基づいて前記ディスプレイ装置に表示された画像を撮影する追加撮像装置と，撮像装置及び追加撮像装置の中でいずれか一つを選択して撮像信号が入力されるための撮像装置選択部をさらに含んでもよい。
【００２０】
また，上記課題を解決するために，本発明の別の観点によれば，ディスプレイ装置と，ディスプレイ装置に画像信号を供給する画像信号供給部と，画像信号に基づいてディスプレイ装置に表示された画像を撮影する撮像装置と，撮像装置から撮影された画像の撮像情報が入力されて画質特性を評価する画質評価部を有する画質評価装置の制御方法において，画像信号供給部から画像表示周期を検出する段階と，伝達された画像表示周期に前記撮像装置の撮像周期を同期化させる段階と，を含む画像評価装置の制御方法が提供される。
【００２１】
ここで，同期信号検出部に供給される画像信号は，水平同期信号及び垂直同期信号であってもよい。
【００２２】
また，画質評価部で要求する形態で，撮像情報を補正する段階をさらに含んでもよい。
【００２３】
さらに，補正された撮像情報を評価しようとする画質特性に従ってピクセル単位に変換する段階と，変換された撮像情報を既に設定された形態に整列させて表示する段階をさらに含むことが効果的である。
【００２４】
さらに，整列表示段階前にユーザーの操作に従って評価領域を選択する段階をさらに含むことができ，評価領域選択段階は，補正された撮像情報を表示する段階と，表示された撮像情報に基づいてユーザーが評価領域を選択入力する段階と，ユーザーが選択入力した評価領域を検出する段階とを含んでもよい。
【００２５】
ここで，評価しようとする画質特性を輝度または色温度に設定する段階をさらに含み，整列表示段階は，ピクセル単位に変換された前記補正された撮像情報の横方向座標を基準にして該当座標の輝度または色温度をグラフ形態に表示することができる。
【００２６】
また，評価しようとする画質特性を最大輝度，最小輝度，または平均輝度に設定する段階をさらに含み，整列表示段階は，ピクセル単位に変換された補正された撮像情報の中で最大輝度，最小輝度，または平均輝度を有する該当座標または該当値を表形態に表示することもできる。
【００２７】
また，評価しようとする画質特性を輝度統計に設定する段階をさらに含み，整列表示段階は，輝度を基準にして該当輝度を有するピクセル単位に変換された撮像情報個数をグラフの形態に表示することができる。
【００２８】
また，評価しようとする画質特性を色または色濃度に設定する段階をさらに含み，整列表示段階は，ピクセル単位に変換された撮像情報をＲＧＢ，情報及び色濃度を基準情報とともにグラフの形態に表示することもできる。
【００２９】
ここで，ディスプレイ装置で供給される画像信号に対する画質特性別基準情報が貯蔵された基準情報貯蔵部を設ける段階と；情報変換部で変換された撮像情報及び該当基準情報を重畳させて表示する段階をさらに含んでもよい
【００３０】
また，画像信号に基づいてディスプレイ装置に表示された画像信号を撮影する追加撮像装置を設ける段階と，撮像装置及び追加撮像装置の中でいずれか一つを選択して撮像信号が入力される段階をさらに含んでもよい
【発明の効果】
【００３１】
上述したように，本発明によれば，画面表示周期に撮像周期を同期化させることによって，検査しようとする撮像情報を追加的な作業なくさらに容易で正確に提供されることができるので，定量化され，精密で，様々な画質評価結果をユーザーが容易に認識することができる形態で提供することができる。
【発明を実施するための最良の形態】
【００３２】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３３】
図２は，本発明による画質評価装置の制御ブロック図である。図面に示すように，本発明による画質評価装置は，ディスプレイ装置２０と，ディスプレイ装置２０に画像信号を供給する画像信号供給部２３と，画像信号に基づいて画像表示周期を検出して撮像装置２５ａに伝達する同期信号検出部２４と，画像信号に基づいてディスプレイ装置２０に表示された画像を画像表示周期に撮影する撮像装置２５ａ，撮像装置２５ａから撮影された画像の撮像情報が入力されて画質特性を評価する画質評価部３０と，を含んで構成される。
【００３４】
また，撮像情報が入力されて画質評価部３０で要求する形態に撮像情報を補正する撮像情報補正部２７と，追加撮像装置２５ｂと，撮像装置２５ａ及び追加撮像装置２５ｂの中でいずれか一つを選択して撮像信号を入力するための撮像装置選択部２６と，をさらに有する。
【００３５】
画像信号供給部２３は，ディスプレイ装置２０に所定の画面が映像にディスプレイされるように画像信号を供給するの。ここで，所定の画面は評価しようとする画質の特性がよく表れるように画質特性別に既に設定された多くの画面でもよく，この場合，画像信号供給部２３は，ディスプレイされる所定の画面を貯蔵しているビデオテープまたはＤＶＤ等を再生させるビデオプレーヤーまたはＤＶＤプレーヤーであってもよい。
【００３６】
同期信号検出部２４は，画像信号供給部２３からの画像信号に基づいて画像表示周期を検出して撮像装置２５ａ及び追加撮像装置２５ｂに伝達する。
【００３７】
この場合，同期信号検出部２４は，画像信号供給部２３でディスプレイ装置２０にも同時に供給されるコンポジット信号である画像信号が入力されて水平同期信号及び垂直同期信号を分離して撮像装置２５ａに提供する。
【００３８】
水平同期信号及び垂直同期信号を受けた撮像装置２５ａは，水平及び垂直同期信号に撮像周期を同期化させてディスプレイ装置２０に表示された画像を撮影することになる。
【００３９】
これによって，連続的に提供される画像を所定の時間の間に撮影する場合において，再生されるすべての画像を漏れなく撮影することができる。従って，撮影されたすべての画像を画質評価部３０等に設けられた所定の空間に貯蔵していつでも再評価することができる。
【００４０】
撮像装置２５ａ及び追加撮像装置２５ｂは，ディスプレイ装置２０に表示された画像を撮影して画質評価部３０に提供するＣＣＤカメラとして，ディスプレイ装置２０の信号伝送方式及び分解能に適合に調節された相互に異なる二つのＣＣＤカメラを使用する。ここで，評価しようとするディスプレイ装置２０の環境に適合するように調節された一つのＣＣＤカメラを設けて使用することができる。
【００４１】
撮像装置選択部２６は，撮像装置２５ａ及び追加撮像装置２５ｂの中でいずれか一つを選択して撮像信号が入力されるための選択部として，画質評価部３０で提供するユーザーインタフェース，例えば，選択ウィンドウ窓を利用して容易に操作することができる。
【００４２】
撮像情報補正部２７は，撮像装置２５ａ，２５ｂで取得して出力する撮像情報とディスプレイ装置２０で出力されてユーザーが認識する画像情報の間に差異が発生するので，このような差異を補正する機能を有する。
【００４３】
即ち，ＣＣＤカメラで取得して画質評価部３０に出力する撮像情報は，ピクセル単位別にＳＲＧＢであるので，ディスプレイ装置が出力するＲＧＢに変換させるための補正係数を反映してピクセル単位別ＲＧＢを算出した情報である。
【００４４】
画質評価部３０は，撮像装置２５ａ，２５ｂから撮影された画像の撮像情報（ここでは，補正された撮像情報）が入力されて画質特性を評価する。
【００４５】
画質評価部３０は，図３に示すように，撮像情報補正部２７で補正された撮像情報を評価しようとする画質特性に従ってピクセル単位に変換して既に設定された形態に整列させる情報変換部３１と，情報変換部３１から出力された撮像情報を表示する評価情報表示部３３と，ユーザーの操作に従って評価領域を選択することができる評価領域選択部３５と，を含む。
【００４６】
情報変換部３１は，補正された撮像情報を評価しようとする画質特性に従ってピクセル単位に変換して既に設定された形態に整列させる機能を有する。
【００４７】
ここで，評価しようとする画質特性は，輝度，色，色温度，ノイズ程度，残像程度，カラーシプト等ピクセル単位のＲＧＢ情報に前記特性を算出する所定の変換式を適用して取得したり，画像，撮影時間，撮影角度等の所定の撮影条件を適用して撮影し，所定の変換式を適用して取得したりすることができる所定領域の輝度分布，所定領域の最大輝度，最小輝度，平均輝度，各輝度別ピクセルの数，輝度関連明りの対照，所定領域内の色分布，所定領域内の色濃度分布，所定領域内の色温度，残像が除去される時間等を含む。
【００４８】
例えば，評価しようとする画質特性が所定領域内の輝度である場合，各ピクセルのＲＧＢ情報に基づいて，所定の変換式を利用して輝度を算出した後，各ピクセルに対応するＸ座標と算出した輝度を対応させる座標値を貯蔵する。
【００４９】
評価情報表示部３３は，情報変換部３１で出力された撮像情報を表示する。これは画質評価部３０に設けられたディスプレイ部または画質評価部３０に接続されている別途のプリンターであってもよい。
【００５０】
例えば，情報変換部３１で出力された撮像情報は，上述した輝度の場合，Ｘ座標と上記算出した輝度を対応させた座標を，それぞれＸ座標，Ｙ座標値とするグラフで表現することができる。この時，図８及び図９のように，基準情報貯蔵部３８に貯蔵されている画質特性別基準情報を重畳させて表示することができる。
【００５１】
評価領域選択部３５は，ユーザーの操作に従って評価領域を選択することができるようにするため，補正された撮像情報が表示される撮像情報表示部３６と，撮像情報表示部３６でユーザーが選択した評価領域を検出する評価領域検出部３７を含む。
【００５２】
評価しようとする評価領域は，ディスプレイ装置２０に表示される一つの画像全体であってもよく，一つの画像の中で所定の領域であってもよく，ユーザーの選択によってその評価領域を選択するこようにしてもよい。
【００５３】
図６に示すように，ディスプレイ装置２０に表示された画像を撮像装置２５ａ，２５ｂを通じて撮影した後，補正された撮像情報が画質評価部３０の撮像情報表示部３６を通じて表示される。撮像情報表示部３６に表示された画像でユーザーが所定の評価領域４０をキーまたはマウス等の操作によって選択入力すると，評価領域検出部３７でユーザーのキーまたはマウス操作によって選択された評価領域をピクセル単位で検出することになる。
【００５４】
ここで，撮像情報表示部３６は，一般にディスプレイ装置であってもよく，評価情報表示部３３を採用して使用することもできる。
【００５５】
図１０は，本発明による画質評価装置の制御過程を示すフローチャートである。図１０に示したように，画像信号供給部２３，ディスプレイ装置２０，撮像装置２５ａ，２５ｂ，及び画質評価部３０に電源を供給して本発明による画質評価装置を起動させた後（Ｓ１００），撮像装置選択部２６を通じてディスプレイ装置２０に表示される画像を撮影するため利用される撮像装置を選択して撮影された撮像情報が画質評価部３０に入力されるように調節する（Ｓ２００）。
【００５６】
画像信号供給部２３から入力された画像信号に基づいて，同期信号検出部２４では，水平同期信号及び垂直同期信号を分離して撮像装置２５ａ，２５ｂに伝達する（Ｓ３００，Ｓ４００）。画像信号供給部２３から入力された画像信号に基づいてディスプレイ装置２０は画像を表示し（Ｓ３００，Ｓ４５０），ディスプレイ装置２０に表示された画像を前記水平同期信号及び垂直同期信号に対応して撮影する。
【００５７】
この時，提供される画像信号は，評価しようとする画質特性別に異なる画像が表示されるように設けることができ，多くの水平同期信号及び垂直同期信号を含む所定の時間の間同一の画像が表示され，周期的に異なる画像が繰返されるようにしてもよい。もちろん，一つの画像が完全に表示された一つのフレームを示す一つの水平同期信号及び一つの垂直同期信号である画像表示周期毎に異なる画面を設けることもできる。
【００５８】
次に，一つの画像を撮影した撮像情報に対して行われる画質評価過程を詳細に説明する。
【００５９】
撮像装置２５ａ，２５ｂによって撮影された各ピクセルのＲＧＢ情報を貯蔵している撮像情報は，元のディスプレイ装置２０で使用されるＲＧＢ情報に補正され（Ｓ６００），補正された撮像情報は，画質評価部３０の撮像情報表示部３６を通じて表示される。
【００６０】
ユーザーは，画質評価部３０の撮像情報表示部３６を通じて表示された撮像情報の中で評価しようとする評価領域４０を図４に示すように線で選択することができ，図６に示すように所定の領域を囲む面で選択することもできる（Ｓ７００）。
【００６１】
補正された撮像情報の中で選択された評価領域内のピクセル単位の撮像情報だけを抽出して評価しようとする画質特性に従って変換する（Ｓ８００）。
【００６２】
ここで，評価しようとする画質特性は，輝度，色，色温度，ノイズ程度，残像程度，カラーシフト等ピクセル単位のＲＧＢ情報に前記特性を算出する所定の変換式を適用して取得するようにしてもよい。また，画質特性は，画像，撮影時間，撮影角度等の所定の撮影条件を適用して撮影し，所定の変換式を適用して取得したりすることができる所定領域の輝度分布，所定領域の最大輝度，最小輝度，平均輝度，各輝度別ピクセルの数，輝度関連明りの対照，所定領域内の色分布，所定領域内の色濃度分布，所定領域内の色温度，残像が除去される時間等を含んでもよい。
【００６３】
評価しようとする画質特性に従って所定の変換式を適用して変換されたピクセル単位の撮像情報を，ユーザーが認識し易い形態に整列させる（Ｓ９００）。
【００６４】
ここで，ユーザーが認識し易い形態として，表，グラフ，ヒストグラム等が含まれ，一般的に情報を統計処理して図式化するいずれの形態であってもよい。
【００６５】
例えば，図５は，図４に示す輝度分布用画像に対する撮像情報を整列表示したことで，ピクセルの横方向座標を基準として該当輝度を示したグラフである。
【００６６】
図７は，最大輝度，最小輝度，平均輝度を有する座標及び該当値を示すのに使用される整列表示方法の中の一つである表を概念的に示した図である。
【００６７】
図８は，各ピクセル単位の撮像情報をピクセル単位に輝度値を算出して各輝度別にピクセル数をヒストグラムで示した図である。
【００６８】
図９は，各ピクセル単位の撮像情報をピクセル単位に色値及び色濃度を算出して，Ｙ（ｙｅｌｌｏｗ），Ｒ（ｒｅｄ），Ｇ（ｇｒｅｅｎ），Ｂ（ｂｌｕｅ）を半径軸とし，各色に対する濃度を円柱軸として示したグラフである。
【００６９】
ここで，図８及び図９には，二つの線が表示されている。このうちの一つの線は，撮像装置で撮影されて所定の変換式に変換された撮像情報であり，残りの一つは，既に設定された基準情報を示している。
【００７０】
このように一つのグラフまたはヒストグラムに評価しようとする撮像情報と基準情報を重畳して表示することによって，ユーザーがさらに容易で正確にその評価結果を認識することができるようにする。
【００７１】
本発明による画質評価装置または画質評価方法を利用して評価された画質特性の評価結果は，特定機能を担当する部品を改善したり該当部品の不良可否を判断するのに利用されることができ，部品の結合によって発生されるディスプレイ装置自体の性能改善にも利用することができる。
【００７２】
上記のような構成によって，画面表示周期に撮像周期を同期化させることによって検査しようとする撮像情報を，追加的な作業なくさらに容易で正確に提供することができ，定量化されたさらに精密で様々な画質評価結果をユーザーが容易に認識することができる。
【００７３】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００７４】
本発明は，画質評価装置及び画質評価装置の制御方法に適用可能である。
【図面の簡単な説明】
【００７５】
【図１】従来の画質評価装置の制御ブロック図である。
【図２】本発明の実施形態にかかる画質評価装置の制御ブロック図である。
【図３】同実施の形態にかかる画質評価部の詳細ブロック図である。
【図４】同実施の形態にかかる変換された撮像情報が表示された画質評価部で評価領域を選択する例を示す図である。
【図５】同実施の形態にかかる評価領域に対応する画質特性の評価結果の例を示す図である。
【図６】同実施の形態にかかる変換された撮像情報が表示された画質評価部で評価領域を選択する例を示す図である。
【図７】同実施の形態にかかる評価領域に対応する画質特性の評価結果を示す例を示す図である。
【図８】同実施の形態にかかる評価領域に対応する画質特性の評価結果を示す例を示す図である。
【図９】同実施の形態にかかる評価領域に対応する画質特性の評価結果を示す例を示す図である。
【図１０】同実施の形態にかかる画質評価装置の制御過程を示すフローチャートである。
【符号の説明】
【００７６】
１０    ＣＲＴ表示装置
１３    画像信号供給部
１５    ＣＣＤカメラ
１７    イメージ処理部
１８    制御部
１９    ディスプレイ部
２０    ディスプレイ装置
２３    画像信号供給部
２５ａ，２５ｂ  撮像装置
２６    撮像装置選択部
２７    撮像情報補正部
３０    画質評価部
３１    情報変換部
３３    評価情報表示部
３５    評価領域選択部
３６    撮像情報表示部
３７    評価領域検出部
３８    基準情報貯蔵部
４０    評価領域
【図１】
2005192221.tif 000003
【図２】
2005192221.tif 000004
【図３】
2005192221.tif 000005
【図４】
2005192221.tif 000006
【図５】
2005192221.tif 000007
【図６】
2005192221.tif 000008
【図７】
2005192221.tif 000009
【図８】
2005192221.tif 000010
【図９】
2005192221.tif 000011
【図１０】
2005192221.tif 000012